(57)【特許請求の範囲】
【請求項１】
天面板１、前面板２、底面板３及び後面板４を角筒状に連設して、フラップ６，７で端面を閉止し、陳列時には、前面板２から天面板１を開いて、その開いた部分を折り返し、ディスプレイ用の表示板として起立させる陳列箱において、天面板１の中間位置にヒンジ線１１を設け、前面板２には、裏面に貼着したカットテープ８を挟んで並行する二本の切目線９の間に切裂帯１０を形成し、ヒンジ線１１の前方に支持板１６を介して繋がる前面板２の切裂帯１０までの部分を表示板１７とし、切裂帯１０に隣接して表示板１７の下部に突起１８を設け、陳列時には、切裂帯１０を切り取り、表示板１７を引き上げるようにして、ヒンジ線１１を軸に支持板１６を起こし、表示板１７を下方へ折り曲げ、表示板１７の下部の突起１８を、天面板１の残存部に形成した差込穴１９に差し込んで、表示板１７の起立状態を保持することを特徴とする陳列箱。
【請求項２】
前記突起１８を、表示板１７の下部に代えて、表示板１７の両端から延びるフラップ６に設け、このフラップ６を表示板１７の後方に折り曲げて、その突起１８を内側が斜めに後退した天面板１の差込穴１９に差し込むことを特徴とする請求項１に記載の陳列箱。
【発明の詳細な説明】
【０００１】
【発明の属する技術分野】
この発明は、商品の梱包と陳列に兼用する陳列箱に関するものである。
【０００２】
【従来の技術】
従来より、この種の陳列箱として、実公平２−２１３７５号公報に記載されたようなものが知られている。この陳列箱は、商品の包装に際し、図９に示すように、天面板５０、前面板５１ａ、後面板５１ｂ及び底面板５２を継代５９を介して連設し、フラップ５３，５４を貼り合わせて端面を閉止するものである。
【０００３】
前記前面板５１ａ、後面板５１ｂ及びフラップ５３の裏面には、開封用のカットテープ５５が貼着され、天面板５０には、フラップ５４の先端縁まで達する折目線５６と、その内端間を繋ぐ弧状ミシン目の切目線５７とが設けられている。また、一方のフラップ５３の基部には溝５８が設けられている。
【０００４】
そして、この陳列箱による店頭での商品陳列時には、図１０に示すように、前方に向けた前面板５１ａをカットテープ５５により切断し、上方のフラップ５４をフラップ５３から剥がしつつ、切断した前面板５１ａから天面板５０を開く。
【０００５】
次に、天面板５０に繋がった前面板５１ａを除去し、上方のフラップ５４を内側へ折り込み、切目線５７を切断して、天面板５０を折目線５６沿いに二つ折りにした状態で、天面板５０の先端部を溝５８に係合させる。
【０００６】
これにより、天面板５０が起立状態で保持され、その前側部分がディスプレイ用の表示板として機能する。
【０００７】
【発明が解決しようとする課題】
しかしながら、上記のような陳列箱では、輸送時や保管時の積み上げにより、表面が汚れたり、収納物である缶や瓶の頭部の跡形が残ったりする天面板５０を表示板として利用するため、陳列時の美粧性に問題がある。
【０００８】
また、陳列時の変形に際し、天面板５０の反発が大きく、その先端を溝５８に係合させるのが難しいという問題もある。
【０００９】
そこで、この発明は、陳列時の美粧性に優れ、包装状態から陳列状態への変形が容易な陳列箱を提供することを課題とする。
【００１０】
【課題を解決するための手段】
上記課題を解決するため、この発明は、天面板の中間位置にヒンジ線を設け、前面板には、裏面に貼着したカットテープを挟んで並行する二本の切目線の間に切裂帯を形成し、ヒンジ線の前方に支持板を介して繋がる前面板の切裂帯までの部分を表示板とし、切裂帯に隣接して表示板の下部に突起を設け、陳列時には、切裂帯を切り取り、表示板を引き上げるようにして、ヒンジ線を軸に支持板を起こし、表示板を下方へ折り曲げ、表示板の下部の突起を、天面板の残存部に形成した差込穴に差し込んで、表示板の起立状態を保持することとしたのである。
【００１１】
このように構成すると、輸送時や保管時に汚損しにくい前面板を表示板として利用するので、美粧性に優れた陳列を行うことができる。
【００１２】
また、表示板を起立状態で保持する突起の差込穴が天面板の残存部に位置しているので、陳列状態へ容易に変形することができる。
【００１３】
なお、前記突起を、表示板の下部に代えて、表示板の両端から延びるフラップに設け、このフラップを表示板の後方に折り曲げて、その突起を内側が斜めに後退した天面板の差込穴に差し込むようにしてもよい。
【００１４】
この場合、表示板の両端で切り口が露出しないので、美粧性が向上し、また、表示板が立体構造で保持されるので、表示板の安定性も向上する。
【００１５】
【発明の実施の形態】
以下、この発明の実施形態を添付図面に基づいて説明する。
【００１６】
図１に示す第１実施形態のブランクでは、天面板１、前面板２、底面板３及び後面板４が順次連設され、天面板１の開放側縁には継代５が連設されている。前面板２及び後面板４の両端縁にはフラップ６が連設され、天面板１及び底面板３の両端縁にはフラップ７が連設されている。
【００１７】
前面板２、後面板４及びフラップ６の裏面にはカットテープ８が貼り付けられ、前面板２には、カットテープ８を挟んで並行する二本の切目線９の間に、切裂帯１０が形成されている。
【００１８】
また、天面板１の中間位置には、押し罫線から成るヒンジ線１１が設けられ、切裂帯１０の両端からヒンジ線１１の両端へかけて、前面板２及び天面板１の両側部には、ミシン目又はジッパ形の切目線１２乃至１５が設けられている。
【００１９】
天面板１において、ヒンジ線１１及び切目線１４，１５の内側は支持板１６とされ、前面板２において、切裂帯１０及び切目線１２，１３の内側は表示板１７とされている。表示板１７の表面には商品の宣伝等が印刷されている。
【００２０】
表示板１７の両端部には、切裂帯１０の両側へ突出する突起１８が設けられ、天面板１には、切目線１５の後方に差込穴１９が設けられている。
【００２１】
このようなブランクを組み立てて、商品を包装するには、図２に示すように、天面板１、前面板２、底面板３及び後面板４を角筒状に折り曲げて、継代５を後面板４に貼り付け、フラップ６，７を順次内側に折り曲げて貼り合わせる。この製函作業は、従来のケーサーで行うことができる。
【００２２】
一方、店頭で商品を陳列する際には、切裂帯１０を切り取り、表示板１７を手前に引き上げるようにして、切目線１２乃至１５を切断し、図３及び図４に示すように、ヒンジ線１１を軸に支持板１６を起こして、表示板１７を下方へ折り曲げ、突起１８を差込穴１９に差し込む。
【００２３】
これにより、輸送時や保管時に汚損しにくい前面板２を利用した表示板１７が天面板１の上に起立状態で保持されるので、美粧性に優れた陳列を行うことができ、消費者の注意を引きつけることができる。
【００２４】
また、上記陳列状態への変形に際し、差込穴１９が天面板１の残存部に位置しているので、突起１８を容易に差し込むことができ、店頭での陳列作業を能率よく行うことができる。
【００２５】
また、カットテープ８の上下に切目線９を入れたことから、切裂帯１０の切り口が美しくなり、切り取る部分は、切裂帯１０だけなので、発生するごみが少ないという利点もある。
【００２６】
なお、カットテープ８を全周に亘って切断すると、その上方部分を完全に除去して、下方部分をトレーとし、全ての商品を露出させて陳列することもできる。
【００２７】
次に、この発明の第２実施形態を、図５乃至図８に基づいて説明する。なお、ここでは、上記第１実施形態との相違点を中心に説明する。
【００２８】
図５に示すように、この実施形態に係る陳列箱のブランクでは、切裂帯１０がフラップ６まで延長され、切目線１２がフラップ６の先端縁まで延びている。また、切目線１５もフラップ７の先端縁まで延びている。
【００２９】
また、突起１８は、表示板１７の両端から延びるフラップ６に設けられ、底面板３に繋がるフラップ７の先端縁には、切込２０が設けられている。
【００３０】
さらに、差込穴１９は、内側が斜めに後退するように傾き、支持板１６と表示板１７の間には、折目に挟まれた頂板２１が設けられている。
【００３１】
このようなブランクから成る陳列箱により、商品を包装する際には、図６に示すように、天面板１、前面板２、底面板３及び後面板４を、継代５を介して連設し、フラップ６，７を貼り合わせて端面を閉止する。この包装状態において、突起１８は切込２０に対応する場所に位置する。
【００３２】
一方、店頭で商品を陳列する際には、切裂帯１０を切り取り、表示板１７の両端に繋がったフラップ６を外側へ引き出し、フラップ６の切目線１２及びフラップ７の切目線１４，１５を切断する。このとき、突起１８は、切込２０から抜け出すので、折れ曲ることがない。
【００３３】
次に、表示板１７を手前に引き上げるようにして、天面板１の切目線１５を切断し、図７及び図８に示すように、ヒンジ線１１を軸に支持板１６を起こして、頂板２１を前方へ、表示板１７を下方へ折り曲げ、フラップ６を表示板１７の後方に折り曲げて、突起１８を差込穴１９に差し込む。
【００３４】
このように変形した陳列状態では、表示板１７の両端において、フラップ６を折り曲げていることから、切り口が露出せず、美粧性が向上する。また、斜めに向いたフラップ６により、表示板１７が立体構造で保持されるので、表示板１７の安定性も向上する。
【００３５】
【発明の効果】
以上のように、この発明に係る陳列箱では、輸送時や保管時に汚損しにくい前面板を表示板として利用し、その下部又はフラップに設けた突起を、天面板の差込穴に差し込んで表示板を起立状態に保持することとしたので、美粧性に優れた陳列を行うことができ、陳列時への変形も容易となる。
【図面の簡単な説明】
【図１】この発明に係る陳列箱の第１実施形態のブランクを示す図
【図２】同上の包装状態を示す斜視図
【図３】同上の陳列状態を示す斜視図
【図４】同上の縦断側面図
【図５】この発明に係る陳列箱の第２実施形態のブランクを示す図
【図６】同上の包装状態を示す斜視図
【図７】同上の陳列状態を示す斜視図
【図８】同上の縦断側面図
【図９】従来の陳列箱の包装状態を示す斜視図
【図１０】同上の陳列状態を示す斜視図
【符号の説明】
１  天面板
２  前面板
３  底面板
４  後面板
６，７  フラップ
１１  ヒンジ線
１６  支持板
１７  表示板
１８  突起
１９  差込穴
【図１】
0003683224.tif 000002
【図２】
0003683224.tif 000003
【図３】
0003683224.tif 000004
【図４】
0003683224.tif 000005
【図５】
0003683224.tif 000006
【図６】
0003683224.tif 000007
【図７】
0003683224.tif 000008
【図８】
0003683224.tif 000009
【図９】
0003683224.tif 000010
【図１０】
0003683224.tif 000011